(57)【要約】      （修正有）【課題】ポンプ式製品の容器本体へ内容物詰替え作業に関して、変形可能な移替え元容器から内容物を絞り出だす器具の不使用時における管理負担や紛失のおそれをなくして準備を容易にし、作業の利便化を図る。【解決手段】容器本体１の蓋を兼ねたポンプユニットＡの吸上げパイプ３の上流側を二股形状に分かれた個別筒状部（３ｂ，３ｃ）にし、この個別筒状部同士の間にパウチ２を挟んで内容物を絞り出だすための対向平面部を設けた。ポンプ式製品の通常の使用時にはパイプ３は容器本体の中にあって管理不要であり紛失することもない。また、内容物詰替え作業の際にはポンプユニットＡは外され内容物を絞り出だす器具として使用されるので、内容物絞出し用器具の準備は別途不要で、ポンプユニットＡの置き場所を別途確保する必要もない。【選択図】図２
2012210949.tif 000002
【特許請求の範囲】
【請求項１】
ポンプ式製品の容器本体に収容された内容物をポンプ作動用のハウジングに供給するための吸上げパイプにおいて、
前記ハウジングの流入部側に接続され、ハウジング内部への内容物流出部として作用する単一の下流側筒状部と、
前記容器本体からの内容物流入部として作用し、かつ、前記単一の下流側筒状部へと通じる並列離間態様で形成された複数の上流側筒状部と、を備え、
前記複数の上流側筒状部は、
変形可能な移替え元容器を挟みこんだ状態で当該移替え元容器の内容物取り出し用開口部の方へ相対的に移動可能な対向外周部分を備えている、
ことを特徴とするポンプ式製品用の吸上げパイプ。
【請求項２】
前記複数の上流側筒状部は、
その全体が二股形状であり、
前記対向外周部分は、
互いに平行な平面である、
ことを特徴とする請求項１記載のポンプ式製品用の吸上げパイプ。
【請求項３】
請求項１または２に記載のポンプ式製品用の吸上げパイプと、
前記吸上げパイプの単一の下流側筒状部が取り付けられて吸込弁作用を呈し、かつ、内容物貯留用の内部空間域を備えたハウジングと、
前記ハウジングに配設されて吐出弁作用を呈し、かつ、内容物放出用通路部を有するステムと、
前記ステムをその作動モード位置へ駆動する操作部と、を備え、
その全体が一体化されている、
ことを特徴とするポンプ式製品用のポンプユニット。
【請求項４】
請求項１または２に記載のポンプ式製品用の吸上げパイプを備え、かつ、前記容器本体に放出対象内容物を収容した、
ことを特徴とするポンプ式製品。
【発明の詳細な説明】
【技術分野】
【０００１】
本発明は、ポンプ式製品の容器本体に収容された内容物をポンプ機構付きのハウジングに供給するための吸上げパイプなどに関する。
【０００２】
特にこの吸上げパイプを、利用者が、変形可能な移替え元容器の収容内容物をポンプ式製品の容器本体に移し替える際の、移替え元容器挟持用のいわば内容物絞出し用治具としても使えるようにしたものである。
【０００３】
なお、「変形可能な移替え元容器」とはポンプ式製品への移替え用内容物（詰替え用内容物）を収容した軟性状のパウチ，チューブなどの容器である。以下の説明では必要に応じて単に「移替え元容器」と記載する。
【０００４】
ポンプ式製品の使用にともないその容器本体の内容物が略空状態になると、利用者は、当該容器本体からこれに螺合しているポンプユニット（スパウト，ステム，ハウジング，ネジキャップ，吸上げパイプなどの一体物）を取外して、当該容器本体にその開口首部から移替え元容器の液状内容物などを移し替える。
【０００５】
このような移替え元容器内容物の容器本体への移替え作業を効率的に行なうためには、移替え元容器の外面を何らかの手段によって挟み込んでから当該手段を開口部の方に動かし、これにより移替え元容器の液状内容物などを当該開口部からいわば絞り出すことが必要である。
【０００６】
本発明は、もともとポンプ式製品の構成要素にすぎない吸上げパイプに、この移替え元容器の挟込み手段の機能を持たせるべく、当該吸上げパイプの内容物流入側（パイプ上流側）の形状を工夫したものである。
【０００７】
容器本体への移替え対象内容物としては、例えば石けん，消毒剤，化粧品，乳液、シェービングフォーム，ヘアスタイリングフォーム，洗剤，染毛剤，シャンプー，リンス，殺虫剤など、後述のように各種のものがある。
【背景技術】
【０００８】
移替え用内容物を収容した袋などからその中身を本来の容器に移し替える場合に用いる絞り出し器具が、例えば下記の特許文献１で開示されている。
【０００９】
この絞り出し器具は、概略、一方の端部がヒンジ結合し、他方の端部がそれぞれ自由端になっている一対の挟付け部材と、袋を挟み付けて閉じた状態の当該自由端を保持する案内部材とからなっている。
【００１０】
そして、袋を挟み付けた後の一対の挟付け部材および案内部材の全体を袋に対してスライドさせることにより袋の収容内容物を容器へ絞り出している。
【先行技術文献】
【特許文献】
【００１１】
【特許文献１】特開２００５−１７０４９６号公報
【発明の概要】
【発明が解決しようとする課題】
【００１２】
上記絞り出し器具は、袋からその収容内容物を容器へ簡単な操作で効率的に移し替えるためのいわば専用治具である。
【００１３】
当然のことながら、絞り出し器具が使用されないときはそれを別途保管しなければならず、絞り出し器具が使用される際にはそれを保管場所から取り出して準備しなければならない。
【００１４】
そのため、絞り出し器具の保管，準備といった正確な作業が必然的であって、当該絞り出し器具を使う利用者に煩雑感を与えやすいという問題点があった。
【００１５】
また、この保管が十分に行われないと絞り出し器具の紛失につながりやすく、袋の収容内容物を容器へ絞り出す作業の円滑化を担保しにくいという問題点があった。
【００１６】
本発明は、ポンプ式製品の場合、その吸上げパイプの一方の端部側を複数の離間した筒状部で形成すれば、この離間した対向部分で、移替え元容器（パウチ，チューブなど）の表裏などを挟持できることに着目したものである。
【００１７】
すなわち、もともとポンプ式製品の構成要素であって、移替え元容器の内容物をポンプ式製品の容器本体へ移し替える際にはそれに先立って必ず容器本体から取り外される吸上げパイプを、この移替え作業時の移替え元容器の挟持部材に援用している。
【００１８】
そのため利用者は、移替え元容器の内容物をポンプ式製品の容器本体に移し替える際に、当該容器本体から取り外した吸上げパイプなどの置き場所などを配慮する必要は一切ない、
【００１９】
本発明は、このように吸上げパイプを移替え元容器の挟持部材に援用し、これにより当該挟持部材の不使用時におけるその管理負担および紛失のおそれを皆無とし、ポンプ式製品の容器本体への内容物移替え作業に関しての利便化を図ることを目的とする。
【課題を解決するための手段】
【００２０】
本発明は、以上の課題を次のようにして解決する。
（１）ポンプ式製品の容器本体（例えば後述の容器本体１）に収容された内容物をポンプ作動用のハウジング（例えば後述のハウジング４）に供給するための吸上げパイプ（例えば後述の吸上げパイプ３）において、
前記ハウジングの流入部側に接続され、ハウジング内部への内容物流出部として作用する単一の下流側筒状部（例えば後述の単一筒状部３ａ）と、
前記容器本体からの内容物流入部として作用し、かつ、前記単一の下流側筒状部へと通じる並列離間態様で形成された複数の上流側筒状部（例えば後述の個別筒状部３ｂ，３ｃ）と、を備え、
前記複数の上流側筒状部として、
変形可能な移替え元容器（例えば後述のパウチ２）を挟みこんだ状態で当該移替え元容器の内容物取り出し用開口部の方へ相対的に移動可能な対向外周部分（例えば後述の対向平面部３ｄ，３ｅ）を備えた筒状部を用いる。
（２）前記複数の上流側筒状部として、
その全体が二股形状の筒状部を用い、
前記対向外周部分として、
互いに平行な平面を用いる。
（３）上記（１）または（２）のポンプ式製品用の吸上げパイプと、
前記吸上げパイプの単一の下流側筒状部が取り付けられて吸込弁作用を呈し、かつ、内容物貯留用の内部空間域を備えたハウジングと、
前記ハウジングに配設されて吐出弁作用を呈し、かつ、内容物放出用通路部を有するステムと、
前記ステムをその作動モード位置へ駆動する操作部と、を備え、
その全体が一体化された形のポンプユニットを用いる。
【００２１】
本発明は、以上の構成からなるポンプ式製品用の吸上げパイプならびに、この吸上げパイプを備えたポンプユニットおよびポンプ式製品を対象としている。
【発明の効果】
【００２２】
本発明は以上の課題解決手段により、移替え元容器の挟持部材の不使用時におけるその管理負担および紛失のおそれを皆無とし、ポンプ式製品の容器本体への内容物移替え作業に関しての利便化を図ることができる。
【図面の簡単な説明】
【００２３】
【図１】ポンプ式製品の構成要素である吸上げパイプを示す説明図である。
【図２】図１の吸上げパイプと一体化した形のポンプユニットを用いて内容物収容済みパウチから内容物を容器本体に移す様子を示す説明図である。
【図３】ポンプ式製品の静止モードを示す説明図である。
【図４】ポンプ式製品の作動モードを示す説明図である。
【図５】ステムの下死点状態から静止モードへ復帰する際の内容物吸上げ（吸込み）状態を示す説明図である。
【発明を実施するための形態】
【００２４】
図１〜図５に基づいて本発明の実施形態を説明する。
【００２５】
以上の図で用いるアルファベット付き参照番号の構成要素（例えば開口首部１ａ）は原則として、当該参照番号の数字部分の構成要素（例えば容器本体１）の一部であることを示している。
【００２６】
図１〜図５において、
１は周知のポンプ作用により外部空間域に放出される内容物を収容した容器本体，
１ａは当該容器本体への内容物移替え部として作用する開口首部，
２は容器本体１への移替え用内容物が入れられた軟性状のパウチ（袋），
２ａは当該パウチの内容物を容器本体１に移し替えるに先立ってパウチ前方の左右方向端部を利用者が切り取ることにより形成される内容物取り出し用の開口部，
２ｂは当該パウチの表面部，
２ｃは当該パウチの裏面部，
をそれぞれ示している。
【００２７】
また、
３は容器本体１から周知のポンプ機構への内容物通路部として作用する吸上げパイプ，
３ａは当該吸上げパイプの下流側を構成する単一筒状部，
３ｂ，３ｃは当該吸上げパイプの上流側を構成して単一筒状部３ａへと連続する半円断面状の計二個からなり、互いに並列離間状態で全体として二股形状の個別筒状部，
３ｄ，３ｅは当該個別筒状部のそれぞれに形成されて、パウチ２の中身（放出対象の内容物）を略空状態の容器本体１へ移し替えるさいに、利用者が当該パウチの表面部２ｂおよび裏面部２ｃを挟み込んでその開口部２ａの方（図２の矢印方向）にいわばスライドさせることにより、当該中身を確実に当該開口部の方へと移動させる平行態様の対向平面部，
をそれぞれ示している。
【００２８】
また、
４は吸上げパイプ３の単一筒状部３ａが取り付けられて、当該吸上げパイプから流入済みの次回放出対象の内容物を収容する筒状のハウジング，
４ａは当該ハウジングの上端側を構成する大径筒状部，
４ｂは当該大径筒状部の外周面に形成された環鍔状部，
４ｃは当該環鍔状部の下方のハウジング周面に形成されて、ポンプ式製品がその作動モード終了後の静止モードへの復帰時に、容器本体１の内部へその減圧防止用の外気を供給するための孔部，
４ｄは当該ハウジングの下端側を構成して吸上げパイプ３が取り付けられる小径筒状部，
４ｅは当該小径筒状部の上端内側部分に下内向き態様で形成されて、後述の吸込弁５の受け部として作用する環テーパ状部，
４ｆは当該環テーパ状部の上方のハウジング内周面部分に上内向き態様で形成されて、吸込弁５の上動限界設定部として作用する計四個の起立片部，
４ｇは当該起立片部の外側のハウジング内部に形成された環凹状部，
をそれぞれ示している。
【００２９】
また、
５はハウジング４の環テーパ状部４ｅに接離可能（上下動可能）な形でいわば載置された周知の吸込弁（ボール弁），
６はその下側部分がハウジング４の内部に配設されて内容物放出用の通路部を備えた鞘状のステム（ステム上部材６ａ＋ステム下部材６ｇ），
６ａは当該ステムの上側を構成する筒状のステム上部材，
６ｂは当該ステム上部材の上端側外周面，
６ｃは当該ステム上部材の中間部上内周面の周方向に対し飛び飛びでそれぞれが上下に連続する態様により形成された計四個の径方向起立片部，
６ｄは当該ステム上部材の中間部下側に形成された嵌合用の中間内周面，
６ｅは当該中間内周面からその下方に続く下端側内周面，
６ｆは中間内周面６ｄと下端側内周面６ｅとの境界部分に形成された環天井部，
６ｇは当該ステム上部材の内周面の一部に嵌合して一体化されたステム下部材，
６ｈは当該ステム下部材の上側周面部分に形成された内容物通過用の孔部，
６ｊは当該ステム下部材の下側外周面に形成された環状受け部，
６ｋは当該ステム下部材の下側内周面に形成された環状段部，
６ｍは当該環状段部の下方のステム下部材外周面にハウジング４の内周面と当接する態様で形成されて、ステム下部材６ｇの上下動時のガイド作用を呈する複数の凸状部，
をそれぞれ示している。
【００３０】
また、
７はハウジング４の環凹状部４ｇとステム下部材６ｇの環状段部６ｋとの間に配設されてステム６を上方向に付勢するコイルスプリング，
８はハウジング４とステム６との間に配設されて孔部６ｈの開閉作用を呈する環状の吐出弁，
８ａは当該吐出弁の内筒下端側であって、ステム下部材６ｇの環状受け部６ｊとの間の開閉作用を呈する弁作用部，
８ｂは当該弁作用部から上方に続く部分であって、ステム上部材６ａの下端側内周面６ｅに密接しながら相対的に上下動する上内側逆スカート部，
８ｃはハウジング４の内周面に密接しながら上下方向に移動する上外側逆スカート部，
８ｄはハウジング４の内周面に密接しながら上下方向に移動する下外側スカート部，
をそれぞれ示している。
【００３１】
また、
９はステム６の上端側外周面６ｂに嵌合状態で取り付けられて押圧操作部および内容物通路部として作用するスパウト，
９ａは外部空間域への内容物通路部，
９ｂは当該内容物通路部の先端部分である放出口，
９ｃは当該スパウトの上面部分からなる操作面，
９ｄは当該スパウトの下筒状部の外周面に形成された螺子部分，
１０は開口首部１ａの外周面とのネジ結合作用で容器本体１に取り付けられる環状のネジキャップ，
１０ａは当該ネジキャップの環状天板部，
をそれぞれ示している。
【００３２】
また、
１１はネジキャップ１０の環状天板部１０ａをハウジング４の環鍔状部４ｂとの間にいくらかの上下動が許容される態様にて挟んだ状態で、当該ハウジングの大径筒状部４ａと嵌合して、ステム６および吐出弁８の上動限界位置（図３の静止モード位置）を規定する嵌合キャップ，
１１ａはその下端部分が静止モード位置の吐出弁８の上外側逆スカート部８ｃと当接する中央筒状部，
１１ｂはハウジング４の大径筒状部４ａと嵌合する環溝状部，
１１ｃは当該中央筒状部の上側内周面に形成されて、店頭展示などの場面で、スパウト９の螺子部分９ｄとネジ結合して当該スパウトが当該嵌合キャップに近づく状態に設定されることにより、ポンプ式製品全体のいわば身長を低くするための螺子部分，
をそれぞれ示している。
【００３３】
また、
Ａはネジキャップ１０を容器本体１から取り外した状態のポンプユニット，
Ｂは吐出弁８およびステム下部材６ｇと吸込弁５との間に設定される内容物貯留用のハウジング内部空間域，
Ｃは作動モードにおいて、ハウジング内部空間域Ｂから外部空間域に放出される内容物の流れ（図４参照），
Ｄはスパウト９の押圧操作解除にともなって静止モードへ復帰するに際し、容器本体１からハウジング内部空間域Ｂに供給される内容物の流れ（図５参照），
Ｅはスパウト９の押圧操作解除にともなって静止モードへ復帰するに際し、外部空間域から容器本体１に供給される減圧防止用外気の流れ（図５参照），
をそれぞれ示している。
【００３４】
ここで、容器本体１，パウチ２，吸上げパイプ３，ハウジング４，ステム６，吐出弁８，スパウト９，ネジキャップ１０，嵌合キャップ１１はそれぞれ、ポリプロピレン，ポリエチレン，ポリアセタール，ナイロン，ポリブチレンテレフタレートなどからなるプラスチック製のものである。吸込弁５およびコイルスプリング７は金属製や合成樹脂製のものである。
【００３５】
なお、吸上げパイプ３は、利用者がそれでパウチ２の表面部２ｂおよび裏面部２ｃを挟み込み、続いて図２の矢印方向にスライドさせるときに変形しない程度の剛性状を有している。
【００３６】
本発明はこの吸上げパイプに関するものである。
図示の吸上げパイプ３の基本的特徴は図１および図２で示すように、
(11)容器本体１の収容内容物の流入側（吸上げパイプ自体の上流側）となる部分を、互いに並列離間状態の個別筒状部３ｂ，３ｃで形成し、
(12)個別筒状部３ｂ，３ｃは、それぞれ平行態様の対向平面部３ｄ，３ｅを備え、
(13)利用者が、パウチ２の収容内容物を略空状態の容器本体１に移し替える際に、
この対向平面部３ｄ，３ｅで、当該パウチの表面部２ｂおよび裏面部２ｃそれぞれの開口部２ａから遠い部分を挟み込み、続いてポンプユニットＡの全体を当該開口部の方に動かせる、
ことである。
【００３７】
パウチ２の収容内容物を容器本体１にその開口首部１ａから移し替えるには当然のことながら先ず、容器本体１とネジ結合しているポンプユニットＡを当該容器本体から取り外さなければならない。
【００３８】
従来、この取り外したポンプユニットＡは近くの例えば洗面台などに置かれたままであり、容器本体１への内容物移替え終了後に再度容器本体へと取り付けられていた。
【００３９】
吸上げパイプ３の個別筒状部３ｂ，３ｃはこのように、パウチ収容内容物を容器本体１に移し替えるに際して不要でむしろ邪魔ともいえるポンプユニットに、内容物移替え作業の確実化，効率化を図るためのいわば治具機能を付与している。
【００４０】
パウチ２の収容内容物を容器本体１に移し替えるとき、利用者は例えば図２に示すように、
(21)パウチ２の所定の隅部分を切ることにより開口部２ａを設定し、かつ、この開口部とは反対側（図示上側）の表面部２ｂおよび裏面部２ｃをポンプユニットＡ（吸上げパイプ３の個別筒状部３ｂ，３ｃ）の対向平面部３ｄ，３ｅで挟み込み、
(22)このパウチ挟み込み状態のポンプユニットＡを下方に移動させればよい。
【００４１】
上記(22)のポンプユニットＡの下動操作にともない、パウチ２の収容内容物は個別筒状部３ｂ，３ｃの対向平面部３ｄ，３ｅによって容器本体１へと絞り出される。
【００４２】
ポンプユニットＡを下動させる際、利用者はその任意の部分（ネジキャップ１０，スパウト９，ハウジング４，吸上げパイプ３など）を持って操作すればよい。
【００４３】
なお、図１のポンプユニットＡは、静止モード位置（図３参照）のスパウト９をさらに下動させてその螺子部分９ａを嵌合キャップ１１の螺子部分１１ｃとネジ結合させたいわゆる搬送・陳列モード位置にセットされている。
【００４４】
吸上げパイプ３の対向平面部３ｄ，３ｅ同士の間隔はパウチ２の表面部２ｂおよび裏面部２ｃを挟むことができる程度に設定され、例えば０．５〜３ｍｍである。
【００４５】
図３〜図５で示されるポンプ機構の静止モード，作動モードおよび内容物吸上げ（吸込み）状態はいずれも周知のポンプ作動状態である。
【００４６】
図３はポンプ機構の静止モード、すなわちスパウト９が押圧操作されていない状態を示している。
【００４７】
この静止モードでは、
(31)前回の内容物放出操作の終了（図５参照）にともなって、容器本体１の内容物（次回放出の内容物）が吸上げパイプ３を介してハウジング内部空間域Ｂに流入済みであり、
(32)吸込弁５は、ハウジング４の環テーパ状部４ｅに当接した閉状態であり、
(33)吐出弁８も、その弁作用部８ａがステム下部材６ｇの環状受け部６ｊに当接した閉状態である。
【００４８】
上記(33)の吐出弁８の上外側逆スカート部８ｃは、嵌合キャップ１１の中央筒状部１１ａの下端部分でいわば押さえこまれた状態になっている。
【００４９】
図４はポンプ機構の作動モード、すなわちスパウト９が押圧操作されてステム６が下動する状態を示している。
【００５０】
図４に示すように、利用者のスパウト９（操作面９ｃ）に対する押圧操作により、当該スパウトと一体のステム上部材６ａおよびステム下部材６ｇがコイルスプリング７に抗する形で押し下げられる。
【００５１】
このとき、ステム上部材６ａおよびステム下部材６ｇが下動するのにともない、内容物貯留用のハウジング内部空間域Ｂの容積が小さくなってそこでの収容内容物の圧力が大きくなる。
【００５２】
この圧力増加のため、吐出弁８はステム下部材６ｇとの関係で相対的に上昇してその弁作用部８ａと当該ステム下部材の環状受け部６ｊとのそれまでの閉状態が開状態へと変化する。なお、吸込弁５は閉状態を維持する。
【００５３】
ステム下部材６ｇに対して上昇する吐出弁８は、その上内側逆スカート部８ｂの上端部分がステム上部材６ａの環天井部６ｆに当接し、その後はスパウト９と一体のステム６とともに下方向に移動する。
【００５４】
その結果、ハウジング内部空間域Ｂの収容済み内容物は図示矢印Ｃで示すように、「環状受け部６ｊと弁作用部８ａとの間の開部分−ステム下部材６ｇの孔部６ｈ−ステム下部材６ｇの内部通路−ステム上部材６ａの内部通路−スパウト９の内容物通路部９ａ−放出口９ｂ」を経て、外部空間域に放出される。
【００５５】
図５は、利用者がスパウト９の押圧操作を解除することによって生じる静止モードへの復帰状態を示している。
【００５６】
スパウト９の押圧操作が解除されると、当該スパウトおよびこれと一体のステム６（上部材６ａ，ステム下部材６ｇ）が、コイルスプリング７の弾性作用により上方向に移動する。
【００５７】
このステム６などの上動にともない、
(41)ステム下部材６ｇの環状受け部６ｊと吐出弁８の弁作用部８ａとの、それまでの開状態が閉状態へと変化し、
(42)ハウジング内部空間域Ｂは、その容積が増加して容器本体１の内部に対し負圧になるので、吸込弁５が上昇してハウジング４の環テーパ状部４ｅから離間し、その結果、容器本体１の収容内容物が、図示矢印Ｄで示すようにこの離間部分から当該ハウジング内部空間域に流入し、
(43)かつ、このハウジング内部空間域Ｂへの内容物流入に起因する容器本体１の内部の負圧化を防止するため、外気が、図示矢印Ｅで示すようにハウジング４の孔部４ｃから容器本体内部に流入する。
【００５８】
これらのハウジング内部空間域Ｂへの内容物流入ならびに、容器本体１の内部への外気流入が終了して、図１の静止モードへと復帰移行する。
【００５９】
本発明が以上の実施形態に限定されないことは勿論であり例えば、
(51)吸上げパイプ３の個別筒状部を図示のような二股形状ではなく、三個以上の任意の個数、望ましくは偶数からなる形状にする、
(52)対向平面部３ｄ，３ｅにおける自由端側部分（図１の下端側部分）の間隔を他の部分よりも広くして、吸上げパイプ３をパウチ２の表裏面間に挿しこみやすくする、
(53)対向平面部３ｄ，３ｅの一方または双方を曲面部にする、
(54)個別筒状部３ｂ，３ｃを曲線状のものにする、
(55)パウチ２から容器本体１への内容物移替え作業のときに、図２の状態のポンプユニットＡに代えて、スパウト９の螺子部分９ｄと嵌合キャップ１１の螺子部分１１ｃとのネジ結合を解除した静止モード相当のポンプユニットを用いる、
(56)パウチ２に代えてチューブ状の移替え元容器を用いる、
(57)押下げ操作タイプのスパウト９に代えて、回動操作タイプのトリガー式レバーを用いる、
ようにしてもよい。
【００６０】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００６１】
容器本体に収納する内容物は、液状，クリーム状，ゲル状など種々の形態のものを用いることができ、内容物に配合される成分としては例えば、粉状物，油成分，アルコール類，界面活性剤，高分子化合物，各用途に応じた有効成分，水などが挙げられる。
【００６２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６４】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６６】
高分子化合物としては、メチルセルロース，ゼラチン，デンプン，カゼイン，ヒドロキシエチルセルロース，キサンタンガム，カルボキシビニルポリマーなどを用いる。
【００６７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６８】
さらに、上記内容物以外の、懸濁剤，紫外線吸収剤，乳化剤，保湿剤，酸化防止剤、金属イオン封鎖剤なども用いることができる。
【符号の説明】
【００６９】
１：容器本体
１ａ：開口首部
２：移替え用内容物が入れられたパウチ（袋）
２ａ：内容物取り出し用の開口部
２ｂ：表面部
２ｃ：裏面部
３：吸上げパイプ
３ａ：単一筒状部
３ｂ，３ｃ：並列状態の個別筒状部
３ｄ，３ｅ：平行態様の対向平面部
【００７０】
４：ハウジング
４ａ：大径筒状部
４ｂ：環鍔状部
４ｃ：外気供給用の孔部
４ｄ：小径筒状部
４ｅ：環テーパ状部
４ｆ：計四個の起立片部
４ｇ：環凹状部
【００７１】
５：吸込弁（ボール弁）
６：鞘状のステム（ステム上部材６ａ＋ステム下部材６ｇ）
６ａ：筒状のステム上部材
６ｂ：上端側外周面
６ｃ：計四個の径方向起立片部
６ｄ：嵌合用の中間内周面
６ｅ：下端側内周面
６ｆ：環天井部，
６ｇ：ステム下部材
６ｈ：内容物通過用の孔部
６ｊ：環状受け部
６ｋ：環状段部
６ｍ：凸状部
【００７２】
７：コイルスプリング
８：吐出弁
８ａ：弁作用部
８ｂ：上内側逆スカート部
８ｃ：上外側逆スカート部
８ｄ：下外側スカート部
９：スパウト
９ａ：内容物通路部
９ｂ：放出口
９ｃ：操作面
９ｄ：螺子部分
【００７３】
１０：ネジキャップ
１０ａ：環状天板部
１１：嵌合キャップ
１１ａ：中央筒状部
１１ｂ：環溝状部
１１ｃ：螺子部分
【００７４】
Ａ：ポンプユニット
Ｂ：内容物貯留用のハウジング内部空間域
Ｃ：外部空間域に放出される内容物の流れ（図４参照）
Ｄ：ハウジング内部空間域Ｂに供給される内容物の流れ（図５参照）
Ｅ：容器本体１の内部空間域に供給される減圧防止用外気の流れ（図５参照），
【図１】
2012210949.tif 000003
【図２】
2012210949.tif 000004
【図３】
2012210949.tif 000005
【図４】
2012210949.tif 000006
【図５】
2012210949.tif 000007